【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
情報を記憶可能且つ円盤状の第１記録媒体を保持可能な第１保持部と、前記第１記録媒体と異なる第２記録媒体を保持可能な第２保持部を有する通信装置であって、
前記第１保持部が前記第１記録媒体を保持しているか否かにかかわらず前記第１記録媒体に関する情報を前記端末装置に送信する第１送信手段と、
前記第２保持部が保持可能な複数の前記第２記録媒体のうち、前記複数の前記第２記録媒体を示す画面を介してユーザから選択された前記第２記録媒体に関する情報を前記端末装置に送信し、前記第２保持部が保持可能な複数の前記第２記録媒体のうち、前記複数の前記第２記録媒体を示す画面を介してユーザから選択されていない前記第２記録媒体に関する情報を送信しない第２送信手段と、を有し、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とする通信装置。
【請求項２】
情報を記憶可能且つ円盤状の第１記録媒体を保持可能な第１保持部と、前記第１記録媒体と異なる第２記録媒体を保持可能な第２保持部を有する通信装置であって、
前記第１保持部が前記第１記録媒体を保持しているか否かにかかわらず前記第１記録媒体に関する情報を前記端末装置に送信する第１送信手段と、
前記第２保持部が保持可能な複数の前記第２記録媒体のうち、いずれの前記第２記録媒体が保持されているかを検知する検知手段と、
前記検知手段によって検知された前記第２記録媒体に関する情報を前記端末装置に送信し、前記第２保持部が保持可能な複数の前記第２記録媒体のうち、前記検知手段によって検知されていない前記第２記録媒体に関する情報を送信しない第２送信手段と、を有し、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とする通信装置。
【請求項３】
前記第１送信手段は、前記第２保持部が前記第２記録媒体を保持していない場合、前記第１記録媒体の情報を前記端末装置に送信し、前記通信装置が前記第２記録媒体を保持している場合、前記第１記録媒体の情報を前記端末装置に送信しないことを特徴とする請求項１又は２に記載の通信装置。
【請求項４】
前記第１送信手段は、前記第１保持部が前記第１記録媒体を保持している場合、前記第１記録媒体の情報を前記端末装置に送信し、前記第１保持部が前記第１記録媒体を保持していない場合、前記第１記録媒体の情報を前記端末装置に送信しないことを特徴とする請求項１乃至３のいずれか１項に記載の通信装置。
【請求項５】
前記第１保持部に設けられている前記第１記録媒体の挿入口を閉じる閉じ位置と、前記挿入口を開放する開放位置とに位置し得る開閉部材とを備え、
前記第１送信手段は、前記開閉部材が前記開放位置に位置する場合、前記第１記録媒体の情報を前記端末装置に送信し、前記開閉部材が前記閉じ位置に位置する場合、前記第１記録媒体の情報を前記端末装置に送信しないことを特徴とする請求項１乃至４のいずれか１項に記載の通信装置。
【請求項６】
前記通信装置で発生したエラーに関するエラー情報を通知するエラー通知手段を更に有し、
前記エラー通知手段により通知されたエラー情報に関する画面が、前記端末装置に表示されることを特徴とする請求項１乃至５のいずれか１項に記載の通信装置。
【請求項７】
前記エラー通知手段は、前記通信装置で発生したエラーが、前記第１記録媒体を用いた印刷に関するエラーである場合、前記エラー情報を前記端末装置に通知せず、前記通信装置で発生したエラーが、前記第１記録媒体を用いた印刷に関するエラーでない場合、前記エラー情報を前記端末装置に通知することを特徴とする請求項６に記載の通信装置。
【請求項８】
前記エラー通知手段は、前記通信装置で発生したエラーが、前記端末装置に対応しているエラーでない場合、前記エラー情報を前記端末装置に通知せず、前記通信装置で発生したエラーが、前記第１記録媒体を用いた印刷に関するエラーである場合、前記エラー情報を前記端末装置に通知することを特徴とする請求項６又は７に記載の通信装置。
【請求項９】
前記エラー通知手段は、前記通信装置と前記端末装置との通信が、標準系プロトコルを用いた通信である場合、前記通信装置で発生したエラーの内容に係わらず、前記エラー情報を前記端末装置に通知し、
前記通信装置と前記端末装置との通信が、前記標準系プロトコルを用いた通信でない場合、前記通信装置で発生したエラーの内容に応じて、前記エラー情報を前記端末装置に通知するか否かを決定することを特徴とする請求項６乃至８のいずれか１項に記載の通信装置。
【請求項１０】
前記通信装置で発生したエラーに関する画面を前記通信装置が備える表示部に表示させる表示制御手段を更に備えることを特徴とすることを特徴とする請求項６乃至９のいずれか１項に記載の通信装置。
【請求項１１】
前記端末装置から受信する印刷設定情報に基づいて、前記第２記録媒体及び前記第１記録媒体のうち少なくとも一方に、記録剤を用いて画像を形成する画像形成手段を更に有し、
前記印刷設定情報には、印刷対象の記録媒体のサイズに関するサイズ情報と、印刷対象の記録媒体のタイプに関するタイプ情報と、印刷対象の記録媒体を供給する供給部に関する供給部情報のうち少なくとも１つが含まれることを特徴とする請求項１乃至１０のいずれか１項に記載の通信装置。
【請求項１２】
前記画像形成手段は、前記印刷設定情報に、所定の内容である前記サイズ情報が含まれ、且つ前記印刷設定情報に、前記タイプ情報と、前記供給部情報のうち、いずれか１つの情報が含まれない場合、前記第２記録媒体及び前記第１記録媒体のうちであり、且つ前記タイプ情報と前記供給部情報のうち前記印刷設定情報に含まれる情報に対応する記録媒体に、画像を形成することを特徴とする請求項１１に記載の通信装置。
【請求項１３】
前記画像形成手段は、前記印刷設定情報に、所定の内容である前記サイズ情報が含まれ、且つ前記印刷設定情報に含まれる前記タイプ情報と前記供給部情報とが対応しない場合、前記第２記録媒体及び前記第１記録媒体のうち、前記第２保持部に前記第２記録媒体が保持されているか否かに応じた記録媒体に、画像を形成することを特徴とする請求項１１又は１２に記載の通信装置。
【請求項１４】
前記画像形成手段は、前記印刷設定情報に、所定の内容である前記サイズ情報が含まれ、且つ前記印刷設定情報に含まれる前記タイプ情報と前記供給部情報とが対応しない場合、前記第２記録媒体及び前記第１記録媒体のうち、前記第１保持部に前記第１記録媒体が保持されているか否かに応じた記録媒体に、画像を形成することを特徴とする請求項１１乃至１３のいずれか１項に記載の通信装置。
【請求項１５】
所定のプログラムが前記端末装置において起動される毎に、前記第１記録媒体に関する情報及び、前記第２記録媒体に関する情報が送信され、
前記所定のプログラムは、標準系プロトコルを用いた通信を実行するためのプログラムであることを特徴とする請求項１乃至１４のいずれか１項に記載の通信装置。
【請求項１６】
前記所定のプログラムと異なる、非標準系プロトコルを用いた通信を実行するためのプリンタドライバが前記端末装置にインストールされる場合、前記通信装置が実行可能な機能に関する情報を前記端末装置に送信する機能情報送信手段をさらに有することを特徴とする請求項１５に記載の通信装置。
【請求項１７】
前記第１記録媒体は、ＣＤ、ＤＶＤ、及びＢｌｕ−ｒａｙ  Ｄｉｓｃのうちいずれかであることを特徴とする請求項１乃至１６のいずれか１項に記載の通信装置。
【請求項１８】
前記第２記録媒体は、用紙であることを特徴とする請求項１乃至１７のいずれか１項に記載の通信装置。
【請求項１９】
情報を記憶可能且つ円盤状の第１記録媒体を保持可能な第１保持部と、前記第１記録媒体と異なる第２記録媒体のうち少なくとも１つを保持可能な第２保持部を有する通信装置の制御方法であって、
前記第１保持部が前記第１記録媒体を保持しているか否かにかかわらず前記第１記録媒体に関する情報を前記端末装置に送信する第１送信ステップと、
前記第２保持部が保持可能な複数の前記第２記録媒体のうち、前記複数の前記第２記録媒体を示す画面を介してユーザから選択された前記第２記録媒体に関する情報を前記端末装置に送信し、前記第２保持部が保持可能な複数の前記第２記録媒体のうち、前記複数の前記第２記録媒体を示す画面を介してユーザから選択されていない前記第２記録媒体に関する情報を送信しない第２送信ステップと、を有し、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とする制御方法。
【請求項２０】
情報を記憶可能且つ円盤状の第１記録媒体を保持可能な第１保持部と、前記第１記録媒体と異なる第２記録媒体を保持可能な第２保持部を有する通信装置の制御方法であって、
前記第１保持部が前記第１記録媒体を保持しているか否かにかかわらず前記第１記録媒体に関する情報を前記端末装置に送信する第１送信ステップと、
前記第２保持部が保持可能な複数の前記第２記録媒体のうち、いずれの前記第２記録媒体が保持されているかを検知する検知ステップと、
前記検知された前記第２記録媒体に関する情報を前記端末装置に送信し、前記第２保持部が保持可能な複数の前記第２記録媒体のうち、前記検知されていない前記第２記録媒体に関する情報を送信しない第２送信ステップと、を有し、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とする制御方法。
【請求項２１】
情報を記憶可能且つ円盤状の第１記録媒体を保持可能な第１保持部と、前記第１記録媒体と異なる第２記録媒体のうち少なくとも１つを保持可能な第２保持部を有する通信装置のコンピュータに、
前記第１保持部が前記第１記録媒体を保持しているか否かにかかわらず前記第１記録媒体に関する情報を前記端末装置に送信する第１送信ステップと、
前記第２保持部が保持可能な複数の前記第２記録媒体のうち、前記複数の前記第２記録媒体を示す画面を介してユーザから選択された前記第２記録媒体に関する情報を前記端末装置に送信し、前記第２保持部が保持可能な複数の前記第２記録媒体のうち、前記複数の前記第２記録媒体を示す画面を介してユーザから選択されていない前記第２記録媒体に関する情報を送信しない第２送信ステップと、を実行させ、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とするプログラム。
【請求項２２】
情報を記憶可能且つ円盤状の第１記録媒体を保持可能な第１保持部と、前記第１記録媒体と異なる第２記録媒体を保持可能な第２保持部を有する通信装置のコンピュータに、
前記第１保持部が前記第１記録媒体を保持しているか否かにかかわらず前記第１記録媒体に関する情報を前記端末装置に送信する第１送信ステップと、
前記第２保持部が保持可能な複数の前記第２記録媒体のうち、いずれの前記第２記録媒体が保持されているかを検知する検知ステップと、
前記検知された前記第２記録媒体に関する情報を前記端末装置に送信し、前記第２保持部が保持可能な複数の前記第２記録媒体のうち、前記検知されていない前記第２記録媒体に関する情報を送信しない第２送信ステップと、を実行させ、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とするプログラム。
【手続補正２】
【補正対象書類名】明細書
【補正対象項目名】０００８
【補正方法】変更
【補正の内容】
【０００８】
そこで、上記目的を達成するために本発明の通信装置は、情報を記憶可能且つ円盤状の第１記録媒体を保持可能な第１保持部と、前記第１記録媒体と異なる第２記録媒体を保持可能な第２保持部を有する通信装置であって、
前記第１保持部が前記第１記録媒体を保持しているか否かにかかわらず前記第１記録媒体に関する情報を前記端末装置に送信する第１送信手段と、
前記第２保持部が保持可能な複数の前記第２記録媒体のうち、前記複数の前記第２記録媒体を示す画面を介してユーザから選択された前記第２記録媒体に関する情報を前記端末装置に送信し、前記第２保持部が保持可能な複数の前記第２記録媒体のうち、前記複数の前記第２記録媒体を示す画面を介してユーザから選択されていない前記第２記録媒体に関する情報を送信しない送信手段と、を有し、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とする。
また、本発明の通信装置は、情報を記憶可能且つ円盤状の第１記録媒体を保持可能な第１保持部と、前記第１記録媒体と異なる第２記録媒体を保持可能な第２保持部を有する通信装置であって、
前記第１保持部が前記第１記録媒体を保持しているか否かにかかわらず前記第１記録媒体に関する情報を前記端末装置に送信する第１送信手段と、
前記第２保持部が保持可能な複数の前記第２記録媒体のうち、いずれの前記第２記録媒体が保持されているかを検知する検知手段と、
前記検知手段によって検知された前記第２記録媒体に関する情報を前記端末装置に送信し、前記第２保持部が保持可能な複数の前記第２記録媒体のうち、前記検知手段によって検知されていない前記第２記録媒体に関する情報を送信しない第２送信手段と、を有し、
前記端末装置に送信された前記第１記録媒体に関する情報に対応する印刷設定情報及び前記端末装置に送信された前記第２記録媒体に関する情報に対応する印刷設定情報が、ユーザによって選択可能に前記端末装置に表示されることを特徴とする。
【手続補正３】
【補正対象書類名】明細書
【補正対象項目名】００２４
【補正方法】変更
【補正の内容】
【００２４】
ＣＰＵ１２１は、システム制御部であり、ＲＯＭ１２２に格納されたプログラムの実行やハードウェアの起動により、通信装置１２０の全体を制御する。
【手続補正４】
【補正対象書類名】明細書
【補正対象項目名】００２６
【補正方法】変更
【補正の内容】
【００２６】
ＲＡＭ１２３は、ＳＲＡＭやＤＲＡＭ等で構成されるメモリである。なお、ＲＡＭ１２３は、図示しないデータバックアップ用の１次電池によってデータが保持されていても良い。その場合、ＲＡＭ１２３は、プログラム制御変数等の重要なデータを揮発させずに格納することができる。また、通信装置１２０の設定情報や通信装置１２０の管理データ等を格納するメモリエリアもＲＡＭ１２３に設けられている。また、ＲＡＭ１２３は、ＣＰＵ１２１の主メモリとワークメモリとしても用いられる。
【手続補正５】
【補正対象書類名】明細書
【補正対象項目名】００３４
【補正方法】変更
【補正の内容】
【００３４】
ディスクメディア検知部１３０は、公知の検知方法を用いて、ディスクメディア供給部１２７に保持されているディスクメディアを検知し、ディスクメディア供給部１２７にディスクメディアが保持されているか否かを判定する。
【手続補正６】
【補正対象書類名】明細書
【補正対象項目名】００６５
【補正方法】変更
【補正の内容】
【００６５】
そこで、本実施形態の通信装置である通信装置１２０は、Ｓ５０４の通知処理において、メディア情報の登録処理において登録されている情報だけでなく、ディスクメディア情報も、端末装置１１０に通知する。これにより、印刷設定画面７０１に、ディスクメディア印刷に係る設定内容を選択肢として表示させることができる。ひいては、端末装置１１０は、ディスクメディア印刷に係る印刷ジョブを通信装置１２０に実行させることが可能となる。また、ＣＰＵ１２１は、ディスクメディア印刷に対応しているか否かに応じて、端末装置１１０にディスクメディア情報を通知する。例えば、ＣＰＵ１２１は、通信装置１２０がディスクメディア印刷に対応していない場合には、端末装置１１０に、ディスクメディア情報を送信しない。これにより、ＣＰＵ１２１は、印刷設定画面７０１において表示される選択肢を減らすことができ、印刷設定時におけるユーザの利便性を向上させることができる。
【手続補正７】
【補正対象書類名】明細書
【補正対象項目名】００８０
【補正方法】変更
【補正の内容】
【００８０】
また、メディアサイズ７０３及びメディアタイプ７０４等の設定内容は、Ｓ５０４で通信装置１２０から取得されたメディア情報に基づいて、端末装置１１０により自動で決定される構成とすることで、印刷設定画面７０１に表示されない構成としても良い。これにより、印刷設定情報の入力におけるユーザ操作を簡略化できる。
【手続補正８】
【補正対象書類名】明細書
【補正対象項目名】００９３
【補正方法】変更
【補正の内容】
【００９３】
また、図９に示すテーブルに記載された印刷方法として、「ディスクメディア印刷」と、「用紙メディア印刷」とがある。ディスクメディア印刷は、ディスクメディアに対して印刷を行う印刷方法であるため、印刷設定は、メディアタイプが「ディスク」、供給部が「ディスク」となる。そのため、例えば、印刷設定情報に含まれるメディアタイプ情報が「ディスク」を示し、供給部情報が「ディスク」を示す場合は、ＣＰＵ１２１は、図９に示すテーブルにおけるパターン９０７を参照して、印刷方法としてディスクメディア印刷を特定する。また、用紙メディア印刷は、ディスクメディア以外の記録媒体（紙等）に対して印刷を行う印刷方法であるため、印刷設定は、メディアタイプが「普通紙／写真紙」、供給部が「ＡＳＦ」となる。そのため、例えば、印刷設定情報に含まれるメディアタイプ情報が「普通紙／写真紙」を示し、供給部情報が「ＡＳＦ」を示す場合は、ＣＰＵ１２１は、パターン９１１を参照して、印刷方法として用紙メディア印刷を特定する。
【手続補正９】
【補正対象書類名】明細書
【補正対象項目名】０１０１
【補正方法】変更
【補正の内容】
【０１０１】
続いて、Ｓ８０５では、ＣＰＵ１２１は、印刷中に通信装置１２０においてエラーが発生したかどうかを判定する。ＣＰＵ１２１は、エラーが発生していないと判定した場合、Ｓ８０６に進み、印刷が完了したかどうかを判定し、完了していないと判定した場合は、Ｓ８０５を再度実行し、完了したと判定した場合は、処理を終了する。
【手続補正１０】
【補正対象書類名】明細書
【補正対象項目名】０１０６
【補正方法】変更
【補正の内容】
【０１０６】
ディスクメディア印刷特有のエラーは、具体的には、「ディスクなしエラー」や、「トレイなしエラー」、「トレイ排出エラー」等である。「ディスクなしエラー」は、ディスクメディア供給部１２７にディスクメディアがない状態を示す。「トレイなしエラー」は、ディスクメディアトレイがディスクメディア供給部１２７に挿入されていない状態を示す。「トレイ排出エラー」は、トレイの挿入口のカバーが閉じていることにより、トレイが排出できない状態を示す。なお、ディスクメディア印刷特有でないエラーとしては、例えば、給紙部１２６にメディアがない状態を示す「紙なしエラー」や、通信装置１２０が備えるインクがない状態を示す「インクなしエラー」等がある。